(57)【要約】「課題」永久磁石の磁力を応用した流体磁気活性化を、流体移送管の一部分を長方形の流体流路として使用し、その長方形の流路の外側に磁石を組込み内蔵した、流体流路一部分長方形の流体磁気活性化流体移送管を提供する。「解決手段」流体の磁気活性化を流体移送管自体が行なうので流体移送管に磁石を装着することと流体移送管内部に流体が一定以上の流速で直角に通過できる磁界形成が必要であるので流体移送管の一部分を長方形の流路として使用し、その長方形の平担部にその内部を通過する流体が直角に通過できるように磁石を組込み内蔵し、流体の流速をその長方形流路で加速させることを特徴とする流体流路一部分長方形の流体磁気活性化流体移送管である。「選択図」  図１【特許請求の範囲】
【請求項１】
流体移送管の一部分を長方形の流路として、その一部分である長方形の流路平担部に永久磁石を組込み内蔵した、流体移送管の一部分が長方形の流路となり流体を磁気活性化する、流体流路一部分長方形の流体磁気活性化流体移送管。
【請求項２】
流体移送管の一部分を長方形の流路として、その一部分である長方形の流路平担部に永久磁石を上部と下部に装着して使用する、流体移送管の一部分が長方形の流路となる、流体流路一部分長方形の流体移送管。
【請求項３】
上記請求項１及び２の流体移送管に使用する、流体移送管の製造素材は非磁性体物質とし、主として塩化ビニ−ルを使用する。製作する種類は流体移送管として使用されている規格品のすべてとする。
【請求項４】
上記請求項３の非磁性体物質の流体移送管の種類は流体移送管として使用される規格品のすべてとする。
【発明の詳細な説明】
【技術分野】
【０００１】本発明は、永久磁石の磁気・磁力を応用して流体の活性化を計る流体磁気活性化装置に関するものである。「背景技術」【０００２】流体に磁気を与えるといろいろな生物学的変化をもたらすことは知られている。この現象は流体がある速度で磁界を通過するとき流体分子の磁気モ−メントと、磁界との相互作用によって流体分子が励起されて不安定な活性状態を作り出すといわれる「ＭＨＤ理論」による流体移送管に磁石を直接取付ける方法の流体磁気活性化器具はある。「発明の開示」「発明が解決しようとする課題」【０００３】そのために、次のような問題点があった。（１）既設配管に取付けるので露出配管、埋設配管がある、特に埋設配管の場合は、埋設土中の磁性体の吸着、湿気等により錆の発生がはやく、器具の耐久年数が少なくなり磁力が低下する。（２）流体の使用量を調節し少量とした時、又は流体移送圧力が低下した時、あるいは最初から圧力が低く「ＭＨＤ理論」の流体のある速度を満たさない。（３）流体移送管は現在は円筒形のものを使用しているが、磁石の磁力線は直線的であるので円筒形の流体移送管内部に「ＭＨＤ理論」の磁界形成に適さず必要以上の強磁力が必要となるので経済性もない。本発明はこれらの問題点を解決するためになされたものである。「問題を解決するための手段」【０００４】本発明の請求項１の流体流路一部分長方形の流体磁気活性化流体移送管はそれ自体が流体移送管であり、流体磁気活性化を行なうので露出配管・埋設配管を問わず、請求項３の流体移送管に塩ビ管を使用して永久磁石を組込み塩ビ管に内蔵すれば、空気にふれることなく埋設土中の磁性体の吸着もなく湿気等による錆も発生しにくくなり磁力の低下を防止する。【０００５】流体磁気活性化に必要な流体のある速度の流速は、流体の使用量の調節、流体移送圧力の低下、最初から圧力が低い場合でも、流体流路が一部分長方形として流体に圧力を加えて流速の低下を防ぐこととする。【０００６】流体移送管の一部分を長方形の流体流路として使用するので磁石の磁力線は直線的なので、流体移送管の一部分長方形の流体流路は「ＭＨＤ理論」に最適な磁界が形成されて、経済性のあるものとなる。「発明の効果」【０００７】本発明の流体流路一部分長方形の流体磁気活性化流体移送管は永久磁石を組込み内蔵した流体移送管が流体の磁気活性化を行なうので流体が水の場合は、水のもつ溶解力、洗浄力、浄化力、浸透力が蘇えり生活環境を改善しますので、一般的な家屋、ビル、工場の新築、改修時に経済性のある本発明の流体移送管で配管することにより環境保全の一助となる。【０００８】環境保全は全人類の願望でありますが環境汚染は後を絶ちません、特に我々を囲む水質環境は悪くなるばかりで良くなりません、地下水も安心して飲めない時代になってしまいました。磁気活性化された水の使用効果の一例ですが食器の洗浄には洗剤を必要とせず、洗濯洗剤はいまでの１／４の使用量でいままでと同じ洗浄効果があります。また身体の７０％前後が水分でありますので保健上の効果は枚挙にいとまのない程ありますが、循環社会の構成には日本全国の家庭、施設で使用されると著しい環境保全効果がある。「発明を実施するための最良の形態」【０００９】以下、本発明の実施の形態について説明する。（１）流体流路一部分を長方形の流体移送管を請求項３の流体移送管の製造素材を塩化ビニ−ルで流体移送塩ビ管（１）を射出成形加工して製作する。（２）上記流体移送塩ビ管の長方形の平担部に永久磁石（２）を磁石の磁力を保持するために、磁石被覆固定函（４）を製作して磁石を入れて（１）の平担部に（４）を固定帯（３）で（１）に取付け固定し（１）と（４）の隙間を塩化ビニ−ル溶液で（１）の管状となるまで加工成形して、流体流路一部分長方形の流体磁気活性化流体移送管となる。（３）上記の磁石被覆固定函（４）及び固定帯（３）に使用する素材は耐熱温度４００°Ｃ以上の非磁性体金属とする。（４）流体流路一部分長方形の形状及び寸法について下記説明する。（イ）使用管の表面積と長方形の表面積は長方形の表面積を少し広くし基本は長方形の一辺高さを使用管の直径の０，４倍として横の長さは表面積で計算して割出し長さは基本的に直径の５倍とするが湾曲部があるので長くなる。（ロ）一般家庭用配管である１３ｍｍ管の場合の長方形の寸法形状についての例。１３ｍｍ管の表面積  １３２．６６ｍｍ２長方形の一辺の高さ  ５．２ｍｍ長方形の一辺横の長さ  ２５．５ｍｍで表面積が同じなので、２５．６ｍｍとすると１３３．１２ｍｍ２となるので少し広くなる。長方形の寸法は５．２×２５．６×６５ｍｍとなる。その他流体移送管として使用される規格品のすべての寸法算出方法とする。（ハ）磁石の配列は基本はＮ極が下で流体流路に接し、Ｓ極を上にして偶力を働かせる配列とするが、Ｎ極・Ｓ極の交互配列もある。（ニ）本発明の、流体流路一部分長方形の流体磁気活性化流体移送管は既設配管、新規配管を問わず配管口径に合う本発明の流体移送管を接続することで流体の磁気活性化が行なわれるものである。
【図面の簡単な説明】
【００１０】
【図１】本発明の磁石を組込み内蔵した流体移送管の側面斜視図。
【図２】図１の平面斜視図。
【図３】本発明の磁石を装着して使用する流体移送管の側面斜視図。
【図４】図３の平面斜視図。
【図５】流体流路一部分長方形の流体移送管の側面斜視図。
【図６】図４の平面斜視図。
【図７】磁石被覆固定函。
【符号の説明】
【００１１】１。流体流路一部分長方形の流体移送管。２．永久磁石。３．磁石被覆固定函を本発明の流体移送管に装着する固定帯。４。磁石被覆固定函。
【図１】
2006021179.tif 000002
【図２】
2006021179.tif 000003
【図３】
2006021179.tif 000004
【図４】
2006021179.tif 000005
【図５】
2006021179.tif 000006
【図６】
2006021179.tif 000007
【図７】
2006021179.tif 000008